(57)【特許請求の範囲】
【請求項１】
ベッド幅方向端面側に、ベッド幅方向の面に沿って回動して、ボトムの下方からボトム上方に突出可能に装着した支柱部と、この支柱部に回動可能に支持した柵部とを有し、前記支柱部は前記柵部と、前記柵部の略中間の位置において回動可能に連結し、前記柵部には、一方面、他方面双方に、手元スイッチをコードリール内蔵のケースを介して選択的に着脱可能に装着する収容部を設け、前記柵部を支柱部との連結箇所を中心として回動させて支柱部と共にボトム下方に格納する際、前記支柱部側に、前記柵部に装着した手元スイッチのコードリール内蔵のケースを受け入れる凹所を形成したことを特徴とするベッド等における格納型側柵装置。
【請求項２】
前記支柱部は、ボトムのベッド幅方向端面側に設けられた取付部材に、基端部を回動自在に取り付ける一方、上端部を柵部に回動可能に取り付けた第１のステーと、この第１ステー両側面に隣接するように基端部を取り付けると共に、上端部を前記柵部に回動可能に取り付けた第２、第３のステーとを有し、前記第１〜第３ステーと柵部とは、柵部下端側中間箇所に形成した第１ステー受け用の取付切込部と、取付切込部の両側に設けた、第２、第３ステー受け用の凸状受部とにおいて、それぞれ第１〜第３ステーを係合させ、前記第２、第３ステー受け用の凸状受部と共に第２、第３ステーに、取付軸を挿通して回動可能に連結し、前記第２ステーまたは第３ステーに前記凹所を形成したことを特徴とする請求項１記載のベッド等における格納型側柵装置。
【発明の詳細な説明】
【０００１】
【発明の属する技術分野】
本発明は、ベッド等における格納型側柵において、格納時における高さ方向の寸法および厚さ方向の寸法を抑えて格納スペースの省スペース化を図った、ベッド等における格納型側柵装置に関するものである。
【０００２】
【従来の技術】
従来、ベッド等（病院用ベッド、在宅用ベッド、移送用ベッド、ＩＣＵベッド等）に設けられる側柵には、差し込み柵といわれるものの他、必要時にのみ、ボトム側面側をカバーするように持ち上げ支持することができるようにした格納型側柵がある。この格納型側柵によれば、差し込み柵のように、いちいち取り外したり、装着したりする手間が省け、使い勝手がよい。
【０００３】
ところで最近では、ベッドの低床化が進み、前記格納型側柵では、格納時に床面に柵部がぶつかるおそれがでてきた。そこで、最近では、格納時に柵部の高さ方向の寸法を小さくする構造のものが提案されている。
【０００４】
【発明が解決しようとする課題】
しかしながら、柵部の高さ寸法を抑えるには、柵部にリモコンなどの備品装着するような構造の場合には、限度がある。
本発明は、以上のような背景から提案されたものであって、ベッド等における格納型側柵において、格納時における高さ方向の寸法および厚さ方向の寸法を抑えて格納スペースの省スペース化を図った、ベッド等における格納型側柵装置を提供することを目的とする。
【０００５】
【課題を解決するための手段】
前記した課題を解決するために、本発明では、請求項１において、ベッド幅方向端面側に、ベッド幅方向の面に沿って回動して、ボトムの下方からボトム上方に突出可能に装着した支柱部と、この支柱部に回動可能に支持した柵部とを有し、前記支柱部は前記柵部と、前記柵部の略中間の位置において回動可能に連結し、前記柵部には、一方面、他方面双方に、手元スイッチをコードリール内蔵のケースを介して選択的に着脱可能に装着する収容部を設け、前記柵部を支柱部との連結箇所を中心として回動させて支柱部と共にボトム下方に格納する際、前記支柱部側に、前記柵部に装着した手元スイッチのコードリール内蔵のケースを受け入れる凹所を形成したベッド等における格納型側柵装置を提案する。
また本発明では、請求項２において、前記支柱部は、ボトムのベッド幅方向端面側に設けられた取付部材に、基端部を回動自在に取り付ける一方、上端部を柵部に回動可能に取り付けた第１のステーと、この第１ステー両側面に隣接するように基端部を取り付けると共に、上端部を前記柵部に回動可能に取り付けた第２、第３のステーとを有し、前記第１〜第３ステーと柵部とは、柵部下端側中間箇所に形成した第１ステー受け用の取付切込部と、取付切込部の両側に設けた、第２、第３ステー受け用の凸状受部とにおいて、それぞれ第１〜第３ステーを係合させ、前記第２、第３ステー受け用の凸状受部と共に第２、第３ステーに、取付軸を挿通して回動可能に連結し、前記第２ステーまたは第３ステーに前記凹所を形成したベッド等における格納型側柵装置を提案する。
【０００６】
請求項１によれば、柵部を支柱部との連結箇所を中心として回動させて支柱部と共にボトム下方に格納する際、前記支柱部側に設けた凹所に、前記柵部に装着した手元スイッチのコードリール内蔵のケースが受け入れられ、柵部と支柱とが折り畳んだ状態となり、柵部高さ方向の寸法を抑えることができる。
【０００７】
請求項２によれば、柵部と柵部を支える第１〜第３ステーとを折り曲げた際、前記第３ステーの凹所を、手元スイッチのコードリール内蔵のケースを受け入れるスペースとしたことにより、折畳み時の厚さを抑えることができる。
【０００８】
【発明の実施の態様】
次に、本発明にかかるベッド等における格納型側柵装置について、一つの実施の形態を示し、添付の図面に基づいて以下説明する。
図１、図２にベッド等における側柵１を示す。
この側柵１は、ベッド等における背に対応するボトム２や、足に対応するボトム（図示省略）の、ベッド幅方向端面側に、ボトム２下方から上方に突出可能に設けられるもので、ボトム２下方から上方に突出可能に装着した支柱部３を有し、この支柱部３上端側に回動可能に柵部４を支持した構成としている。前記柵部４は、例えば合成樹脂の一体成形体から構成され、図１では、柵部４のボトム２側方外側に面する一方面４ｆを示し、図２では、柵部４のボトム２側に面する他方面４ｒを示している。
かかる柵部４の一方面４ｆ、他方面４ｒ双方には、備品装着部である収容部５が設けられ、このうち他方面４ｒ側の収容部５に、備品である手元スイッチ６を取り付けた、コードリール内蔵のケース７を装着している。
【０００９】
前記支柱部３は、ボトム２のベッド幅方向端面側に設けられた取付部材Ｖに、基端部を回動自在に取り付ける一方、上端部を柵部４に回動可能に取り付けた第１のステー８と、この第１ステー８両側面に隣接するように基端部を取り付けると共に、上端部を前記柵部４に回動可能に取り付けた第２、第３のステー９、１０とを有している。この場合、これら第１〜第３ステー８〜１０の基端部の取付部材Ｖにおける取り付け間隔と、第１〜第３ステー８〜１０の上端部の柵部４における取り付け間隔とを等間隔として、柵部４を常時、鉛直方向に指向した状態で支持するようにしている。
すなわち前記第１〜第３ステー８〜１０と柵部４とは、柵部４下端側中間箇所に形成した第１ステー８受け用の取付切込部１１と、取付切込部１１の両側に設けた、第２、第３ステー９、１０受け用の重なり箇所である、凸状受部１２、１３とにおいて、それぞれ第１〜第３ステー８〜１０を係合させて、取付軸（図示省略）をそれぞれ挿通して回動可能に連結している。
そして前記第１ステー８の中央箇所には、周知構造のロックユニット１４が組み込まれている。
なお、前記柵部４の上部側には、柵部４を掴んで操作しやすくするための通孔部ｍ、ｎを設けている。
【００１０】
さらに、前記支柱部３のうち、第３ステー１０は、ボトム２のベッド幅方向端面側の取付部材Ｖに回動可能に取り付ける取付基部１０ａと、柵部４下端側の凸状受部１３に係合する凹部１５を形成した、ステー横部１０ｂとを有している。このステー横部１０ｂは、ボトム２上方に支柱部３と共に柵部４を突出させた際に、実質的に柵部４の下半部を担うようにしている（図３参照）。
そして、このステー横部１０ｂには、柵部４と柵部４を支える第１〜第３ステー８〜１０とをボトム２下方に下降させて折り曲げた際、柵部４の収容部５に装着される、手元スイッチ６を支えるコードリール内蔵のケース７を受け入れる凹所１６を設けて、折り曲げの妨げとならないようにしている（図４、図５参照）。
一方、第２ステー９においても、取付部材Ｖに回動可能に取り付ける取付基部９ａと、柵部４の下半部を担うステー横部９ｂとを有する。このステー横部９ｂには、前記柵部４下端側の凸状受部１２に係合する凹部１７を形成すると共に、前記凸状受部１２を受け入れる凹所１８を形成して、柵部４と支柱部３との折り曲げ時の妨げとならないようにしている。
【００１１】
本発明にかかるベッド等における格納型側柵装置を取り入れた側柵１は以上の通りであり、側柵１をボトム２下方に格納状態にあるときは、図６に示すように、柵部４に対して第１ステー８は取付切込部１１における取付軸を中心として折れ曲がり、一方、柵部４と第２、第３ステー９、１０とは、ステー横部９ｂ、１０ｂと前記柵部４における凸状受部１２、１３とを介して挿通した取付軸を中心として折れ曲がった状態で、柵部４を支持した状態となる。
ここで、図６からも容易に諒解されるように、柵部４の下半部側を担う、第２、第３ステー９、１０におけるステー横部９ｂ、１０ｂが、第２ステー９、１０と共に折れ曲がっているため、この格納状態にある柵部４の凸状受部１２、１３が最低位置にある状態となる。
この際、第２ステー９、１０におけるステー横部９ｂ、１０ｂの折れ曲がる内側には、それぞれ、柵部４における凸状受部１２を受け入れる凹所１８、並びに手元スイッチ６を支えるコードリール内蔵のケース７を受け入れる凹所１６を形成しているので、図７に示すように、柵部４と支柱部３との折り曲げの妨げとなることはなく、結果、図８に示すように、格納時における、ボトム２のベッド幅方向端面側の取付部材Ｖから柵部４下端側の凸状受部１２、１３までの高さ寸法Ｈと、柵部４の一方面４ｆから折れ曲がった状態のステー横部９ｂ、１０ｂ先端までの厚さＷを抑制したものとして、格納時の側柵１の省スペース化を実現することができる。
【００１２】
【発明の効果】
以上の通り、本発明における格納型側柵装置を用いれば、ベッドの低床化に寄与することができる。
【００１３】
【図面の簡単な説明】
【図１】本発明にかかる側柵の一例を示す、一方面からの正面図である。
【図２】図１に示す側柵の、他方面からの正面図である。
【図３】図１に示す側柵における支柱部を構成する第３ステーの、一側面図である。
【図４】図３に示す第３ステーのＢ−Ｂ線に沿って切断してみた、切断矢視図である。
【図５】図１に示す柵部のＡ−Ａ線に沿って切断してみた、切断矢視図である。
【図６】本発明にかかる側柵を、柵部と支柱部とを折畳んでボトム下に格納した状態を示した、側面説明図である。
【図７】図６に示す柵部のＣ−Ｃ線に沿って切断してみた、切断矢視図である。
【図８】本発明にかかる側柵をボトム下に格納した状態を示した、別側面説明図である。
【符号の説明】
１                      側柵
２                      ボトム
３                      支柱部
４                      柵部
４ｆ                    一方面
４ｒ                    他方面
５                      収容部
６                      手元スイッチ
７                      ケース
８                      第１ステー
９                      第２ステー
１０                    第３ステー
９ａ，１０ａ            取付基部
９ｂ，１０ｂ            ステー横部
１１                    取付切込部
１２、１３              凸状受部
１４                    ロックユニット
１５、１７              凹部
１６、１８              凹所
Ｖ                      取付部材
【図１】
0003611201.tif 000002
【図２】
0003611201.tif 000003
【図３】
0003611201.tif 000004
【図４】
0003611201.tif 000005
【図５】
0003611201.tif 000006
【図６】
0003611201.tif 000007
【図７】
0003611201.tif 000008
【図８】
0003611201.tif 000009